(57)【要約】      （修正有）【課題】任意に様々な多角形に仕上げることができるペットフェンスを提供する。【解決手段】第１のフェンス板１を含み、第１のフェンス板の正面にはグリッドドア２が取り付けられ、グリッドドアはヒンジ１０によって第１のフェンス板に接続され、グリッドドアの正面には回転掛金錠３が接続され、第１のフェンス板の外壁の片側には第３の接続リング７が接続され、第１のフェンス板の外壁の他側には第４の接続リング８が接続され、第１のフェンス板の外側には第２のフェンス板４が取り付けられ、かつ第２のフェンス板の外壁の片側には第１の接続リング５が接続され、第２のフェンス板の外壁の他側には第２の接続リング６が接続され、第２の接続リング、第３の接続リングの内側にはジョイントロッド９が貫設される。手動で第１のフェンス板、第２のフェンス板を繋ぎ合わせれば、ペットフェンスを任意に様々な多角形に仕上げることができ、環境に応じて囲んで異なる空間構造を作って、該ペットフェンスの実用性を向上させることに役立つ。【選択図】図３
0003229014.tif 000002
【実用新案登録請求の範囲】
【請求項１】
第1のフェンス板（1）を含み、
前記第1のフェンス板（1）の正面にはグリッドドア（2）が取り付けられ、グリッドドア（2）はヒンジ（10）によって第1のフェンス板（1）に接続され、前記グリッドドア（2）の正面には回転掛金錠（3）が接続され、
前記第1のフェンス板（1）の外壁の片側には第3の接続リング（7）が接続され、第1のフェンス板（1）の外壁の他側には第4の接続リング（8）が接続され、
前記第1のフェンス板（1）の外側には第2のフェンス板（4）が取り付けられ、かつ第2のフェンス板（4）の外壁の片側には第1の接続リング（5）が接続され、
前記第2のフェンス板（4）の外壁の他側には第2の接続リング（6）が接続され、
前記第2の接続リング（6）、第3の接続リング（7）の内側にはジョイントロッド（9）が貫設されることを特徴とするペットフェンス。
【請求項２】
前記第1のフェンス板（1）はヒンジ（10）によってグリッドドア（2）とともに回転構造を構成し、
かつグリッドドア（2）の中軸は第1のフェンス板（1）の中軸と一致することを特徴とする請求項1に記載のペットフェンス。
【請求項３】
前記第1のフェンス板（1）、グリッドドア（2）、及び第2のフェンス板（4）はいずれも電解フェロホスホル製であり、
かつ第1のフェンス板（1）の形状と第2のフェンス板（4）の形状は互いに嵌合することを特徴とする請求項1に記載のペットフェンス。
【請求項４】
前記第2のフェンス板（4）の網目サイズはいずれも高さが13.97cmであり、幅が2.03cmであり、前記グリッドドア（2）の幅が33.02cmであり、高さが43.18cmであることを特徴とする請求項1に記載のペットフェンス。
【請求項５】
前記第2の接続リング（6）の内側と第3の接続リング（7）の内側は連通し、第3の接続リング（7）と第1のフェンス板（1）の間の接続方式は溶接であることを特徴とする請求項1に記載のペットフェンス。
【請求項６】
前記ジョイントロッド（9）の下端は鈍い形と鋭い形のうちの1つを選ぶことができ、
かつジョイントロッド（9）と第1のフェンス板（1）、第2のフェンス板（4）の間はいずれも交互に配置されることを特徴とする請求項1に記載のペットフェンス。
【考案の詳細な説明】
【技術分野】
【０００１】
本考案はフェンス設備の技術分野に関し、特にペットフェンスに関する。
【背景技術】
【０００２】
社会経済の発展と都市化の加速に伴い、都市家庭の独立性、差別化、及び人口高齢化の問題が日々顕著になり、住民の余暇、消費、及び感情の託す方式も多様化しつつあり、その結果、ペットのための消費予算も相応に高まり、ペットフェンスはペットの不可欠な品物となっている。
【０００３】
従来のペットフェンスは使用する際、ペットの視界と活動空間がかごに制限され、ドアロックの構造が複雑であり、かごを移動し、又は収納する必要がある場合、かごとドアロックを取り外さなければならないため、操作しにくい。
【考案の概要】
【０００４】
本考案は従来のペットフェンスが使用する際、ペットの視界と活動空間がかごに制限され、ドアロックの構造が複雑であり、かごを移動し、又は収納する必要がある場合、かごとドアロックを取り外さなければならないため、操作しにくいという欠点を解決するために、ペットフェンスを提供することを目的とする。
【０００５】
前記目的を達成するために、本考案は次の技術的解決手段を使用する：ペットフェンスであって、第1のフェンス板を含み、前記第1のフェンス板の正面にはグリッドドアが取り付けられ、グリッドドアはヒンジによって第1のフェンス板に接続され、前記グリッドドアの正面には回転掛金錠が接続され、前記第1のフェンス板の外壁の片側には第3の接続リングが接続され、かつ第1のフェンス板の外壁の他側には第4の接続リングが接続され、前記第1のフェンス板の外側には第2のフェンス板が取り付けられ、かつ第2のフェンス板の外壁の片側には第1の接続リングが接続され、前記第2のフェンス板の外壁の他側には第2の接続リングが接続され、前記第2の接続リング、第3の接続リングの内側にはジョイントロッドが貫設される。
【０００６】
前記技術的解決手段をさらに説明すると：
前記第1のフェンス板はヒンジによってグリッドドアとともに回転構造を構成し、かつグリッドドアの中軸は第1のフェンス板の中軸と一致する。
【０００７】
前記技術的解決手段をさらに説明すると：
前記第1のフェンス板、グリッドドア、及び第2のフェンス板はいずれも電解フェロホスホル製であり、かつ第1のフェンス板の形状と第2のフェンス板の形状は互いに嵌合する。
【０００８】
前記技術的解決手段をさらに説明すると：
前記第2のフェンス板の網目サイズはいずれも高さが13.97cmであり、幅が2.03cmであり、前記グリッドドアの幅が33.02cmであり、高さが43.18cmである。
【０００９】
前記技術的解決手段をさらに説明すると：
前記第2の接続リングの内側と第3の接続リングの内側は連通し、第3の接続リングと第1のフェンス板の間の接続方式は溶接である。
【００１０】
前記技術的解決手段をさらに説明すると：
前記ジョイントロッドの下端は鈍い形と鋭い形のうちの1つを選ぶことができ、かつジョイントロッドと第1のフェンス板、第2のフェンス板の間はいずれも交互に配置される。
【００１１】
以上より、前記技術的解決手段を使用したため、本考案の有益な効果は以下のとおりである：
1、本考案において、手動で第1のフェンス板、第2のフェンス板を繋ぎ合わせれば、ペットフェンスを任意に様々な多角形に仕上げることができ、環境に応じて囲んで異なる空間構造を作って、該ペットフェンスの実用性を向上させることに役立つ。
【００１２】
2、本考案において、第1のフェンス板、第2のフェンス板の外壁における高度差のある接続リングを繋ぎ合わせた後に、ジョイントロッドを挿入すると、フェンス板同士に対する接続作業を迅速に完成させることができ、同様に、それらに対する取り外しの速度も向上する。
【００１３】
3、本考案において、異なる下端構造のジョイントロッドを選択することで、該ペットフェンスを異なる環境に適用することができ、該ペットフェンスを屋外に配置する場合、鋭い形のジョイントロッドを選択でき、外力の作用下で地面に挿入して、該ペットフェンスの安定性を高めることができる。一方、ペットフェンスを屋内に配置する場合、平面構造の下端を有するジョイントロッドを選択し、ジョイントロッドの下端と地面の小さい接触面積によって引き起こされる屋内の床タイルの破損現象を回避することができる。
【図面の簡単な説明】
【００１４】
【図１】は本考案全体の構造概略図である。
【図２】は本考案の第1のフェンス板と第2のフェンス板の接続の構造概略図である。
【図３】は本考案のジョイントロッドとフェンスの分解構造概略図である。
【考案を実施するための形態】
【００１５】
以下において、本考案実施例の図面と共に本考案の実施例の技術的解決手段を明瞭、かつ完全に説明するが、当然ながら、説明する実施例は本考案の一部の実施例に過ぎず、全ての実施例ではない。本考案の実施例に基づいて、当業者が創造的な労力を要さずに想到しうる全ての他の実施例は、いずれも本考案の技術的請求範囲に属する。
【００１６】
図1〜3に示すとおり、ペットフェンスは、第1のフェンス板1、グリッドドア2、回転掛金錠3、第2のフェンス板4、第1の接続リング5、第2の接続リング6、第3の接続リング7、第4の接続リング8、ジョイントロッド9、及びヒンジ10を含み、第1のフェンス板1の正面にはグリッドドア2が取り付けられ、グリッドドア2はヒンジ10によって第1のフェンス板1に接続され、グリッドドア2の正面には回転掛金錠3が接続され、第1のフェンス板1の外壁の片側には第3の接続リング7が接続され、かつ第1のフェンス板1の外壁の他側には第4の接続リング8が接続され、第1のフェンス板1の外側には第2のフェンス板4が取り付けられ、かつ第2のフェンス板4の外壁の片側には第1の接続リング5が接続され、第2のフェンス板4の外壁の他側には第2の接続リング6が接続され、第2の接続リング6、第3の接続リング7の内側にはジョイントロッド9が貫設される。
【００１７】
さらに、第1のフェンス板1はヒンジ10によってグリッドドア2とともに回転構造を構成し、グリッドドア2の中軸は第1のフェンス板1の中軸と一致し、ペットフェンスを繋ぎ合わせた後に、グリッドドア2を開ければ、ペットを入れ、又は出すことができる。
【００１８】
さらに、第1のフェンス板1、グリッドドア2、及び第2のフェンス板4はいずれも電解フェロホスホル製であり、かつ第1のフェンス板1の形状と第2のフェンス板4の形状は相互いに嵌合可能であり、第1のフェンス板1、第2のフェンス板4、及びグリッドドア2の表面はいずれも黒い静電塗装処理が行われ、静電気帯電防止に役立つ。
【００１９】
さらに、第2のフェンス板4の網目サイズはいずれも高さが13.97cmであり、幅が2.03cmであり、グリッドドア2の幅が33.02cmであり、高さが43.18cmであり、フェンス板には網目が設けられ、それによって使用者はペットの状態を全角度から観察することができ、また、フェンス板のサイズは60cm×80cm、80cm×80cm、100cm×80cmといった3種類があり、使用者の異なる需要が満たされる。
【００２０】
さらに、第2の接続リング6の内側と第3の接続リング7の内側は連通し、かつ第3の接続リング7と第1のフェンス板1の間の接続方式は溶接であり、接続リングは一般的なスリーブ構造と同じであり、また、その内側は中空構造であり、したがってその内側によってジョイントロッド9のスペースが確保される。
【００２１】
さらに、ジョイントロッド9の下端は鈍い形と鋭い形のうちの1つを選ぶことができ、かつジョイントロッド9は、第1のフェンス板1と、第2のフェンス板4とはいずれも交互に配置され、該ペットフェンスを屋外に配する場合、鋭い形の下端のジョイントロッド9を地面に挿入して、その安定性を高めることができ、また、ジョイントロッド9の下端が鈍い形である場合、屋内におけるペットフェンスと周囲の床タイルとの接触面積を大きくして、床タイルの破損を回避することができる。
【実施例】
【００２２】
図3に示すとおり、複数の第2のフェンス板4を繋ぎ合わせることで、四角形の辺長を拡大することができ、さらに、第1のフェンス板1を第2のフェンス板4の間に挿入し、様々な多角形構造が作られる。
【００２３】
動作原理：まず作業者は第1のフェンス板1を主フェンス板とし、さらに複数の第2のフェンス板4を取り、それぞれ第1のフェンス板1の外壁の両側に配置し、その後、現場の実際の必要に応じて、使用者はペットフェンスを多角形に繋ぎ合わせることができ、この場合、高度差のある接続リングを比べ、揃え、さらにジョイントロッド9をその間に挿入し、多角形にペットフェンスを繋ぎ合わせる作業が終わるまで継続し、最後に、手動で回転掛金錠3を起動し、グリッドドア2と第1のフェンス板1を開け、ペットが第1のフェンス板1における開口を通って、フェンス内部に入り、次に手動でグリッドドア2をヒンジ10にまわって回転させ、復帰させ、同時に回転掛金錠3を掛けと、ペットの配置作業が完了する。
【００２４】
以上の記述は、本考案の好ましい実施形態に過ぎないが、本考案の請求範囲はこれに限定されるものではない。本技術分野に精通しているあらゆる当業者が、本考案に開示された技術範囲において、本考案の技術的解決手段及びその構想に基づいて行われた置換や変更は、すべて本考案の請求範囲内に含まれるものとする。
【符号の説明】
【００２５】
1、        第1のフェンス板
2、        グリッドドア
3、        回転掛金錠
4、        第2のフェンス板
5、        第1の接続リング
6、        第2の接続リング
7、        第3の接続リング
8、        第4の接続リング
9、        ジョイントロッド
10、      ヒンジ
【図１】
0003229014.tif 000003
【図２】
0003229014.tif 000004
【図３】
0003229014.tif 000005